(57)【要約】【課題】操作性に優れたロック構造を提供する。【解決手段】上面開口１１と、内部空間１２とを備え、内側面１３に外側に凹んだ複数の凹部１４が形成され、複数の凹部１４に連通し、内側面１３に沿って屈曲した溝部が形成されたケース１と、複数の突起２１が形成されたカバー２と、カバー２をケース１に固定させる固定位置と、カバー２のケース１への固定を解除する解除位置との間を溝部に沿って移動可能な複数の固定部材４１であって、複数の固定部材４１の各々に、固定位置でケース１の凹部１４に露出して突起２１と重なり合い、解除位置で突起２１から離れる突起４１が形成されている複数の固定部材４１と、溝部の形状に合わせて変形しながら溝部に沿って移動可能な伝動部材４２であって、各固定部材４１が同時に固定位置に配置され、同時に解除位置に配置される位置で各固定部材４１を保持している伝動部材４２と、を有する。【選択図】図１
2013065407.tif 000002
【特許請求の範囲】
【請求項１】
上面開口と、内部空間とを備え、前記内部空間を囲む内側面に外側に凹んだ複数の凹部が形成され、前記複数の凹部に連通し、前記内側面に沿って屈曲した溝部が形成されたケースと、
前記上面開口を塞いで前記内部空間を密閉可能なカバーであって、前記複数の凹部に個別に入り込んだ複数の突起が前記ケースに対向する面に形成されたカバーと、
前記カバーを前記ケースに固定させる固定位置と、前記カバーの前記ケースへの固定を解除する解除位置との間を前記溝部に沿って移動可能な複数の固定部材であって、前記複数の固定部材の各々に、前記固定位置で前記ケースの前記凹部に露出して前記カバーの前記突起と重なり合い、前記解除位置で前記カバーの前記突起から離れる突起が形成されている複数の固定部材と、
前記溝部に設けられ、前記溝部の形状に合わせて変形しながら前記溝部に沿って移動可能な棒状の伝動部材であって、前記各固定部材が同時にそれぞれの前記固定位置に配置され、同時にそれぞれの前記解除位置に配置される位置で前記各固定部材を保持している伝動部材と、を有するロック構造。
【請求項２】
前記ケースの前記内側面が、前記内部空間を挟んで互いに対向する一対の矩形面と、前記一対の矩形面に隣接し、前記内部空間を挟んで互いに対向する他の一対の矩形面とで構成され、
前記一対の矩形面および前記他の一対の矩形面の少なくとも２面に前記凹部が形成されている、請求項１に記載のロック構造。
【請求項３】
前記複数の固定部材が樹脂または金属で構成されている、請求項１または２に記載のロック構造。
【請求項４】
前記伝動部材が、エラストマーで構成されている、請求項１から３のいずれか１項に記載のロック構造。
【請求項５】
請求項１から４のいずれか１項に記載のロック構造と、
前記ロック構造の前記内部空間に収容された電池パックと、を有する電子機器。
【請求項６】
上面開口と、内部空間とを備え、前記内部空間を囲む内側面に外側に凹んだ複数の凹部が形成され、前記複数の凹部に連通し、前記内側面に沿って屈曲した溝部が形成されたケースと、
前記内部空間に収容され、前記複数の凹部に個別に入り込んだ複数の突起が外周部に形成された電池パックと、
前記電池パックを前記ケースに固定させる固定位置と、前記電池パックの前記ケースへの固定を解除する解除位置との間を前記溝部内で移動可能な複数の固定部材であって、前記複数の固定部材の各々に、前記固定位置で前記ケースの前記凹部に露出して前記電池パックの前記突起と重なり合い、前記解除位置で前記電池パックの前記突起から離れる突起が形成されている複数の固定部材と、
前記溝部に設けられ、前記溝部の形状に合わせて変形しながら前記溝部に沿って移動可能な棒状の伝動部材であって、前記各固定部材が同時にそれぞれの前記固定位置に配置され、同時にそれぞれの前記解除位置に配置される位置で前記各固定部材を保持している伝動部材と、を有する電子機器。
【請求項７】
上面開口と、内部空間とを備えたケースの、前記内部空間を囲む内側面に外側に凹んだ複数の凹部を形成し、前記複数の凹部に連通し、前記内側面に沿って屈曲した溝部を形成する工程と、
複数の固定部材と、前記溝部の形状に合わせて変形しながら前記溝部に沿って移動可能な棒状の伝動部材とを前記溝部内に収容する工程であって、前記複数の凹部でカバーを前記ケースに固定させる固定位置と、前記カバーの前記ケースへの固定を解除する解除位置との間を前記溝部に沿って移動可能に前記複数の固定部材を収容し、前記各固定部材が同時にそれぞれの前記固定位置に配置され、同時にそれぞれの前記解除位置に配置される位置で前記各固定部材を保持するように前記伝動部材を前記溝部内に収容する工程と、
前記内部空間に電池パックを収容する工程と、
前記カバーで前記上面開口を塞ぐことによって、前記電池パックを収容した前記内部空間を密閉する工程と、を有する電子機器の製造方法。
【請求項８】
上面開口と、内部空間とを備えたケースの、前記内部空間を囲む内側面に外側に凹んだ複数の凹部を形成し、前記複数の凹部に連通し、前記内側面に沿って屈曲した溝部を形成する工程と、
複数の固定部材と、前記溝部の形状に合わせて変形しながら前記溝部に沿って移動可能な棒状の伝動部材とを前記溝部内に収容する工程であって、前記複数の凹部で電池パックを前記ケースに固定させる固定位置と、前記電池パックの前記ケースへの固定を解除する解除位置との間を前記溝部に沿って移動可能に前記複数の固定部材を収容し、前記各固定部材が同時にそれぞれの前記固定位置に配置され、同時にそれぞれの前記解除位置に配置される位置で前記各固定部材を保持するように前記伝動部材を前記溝部内に収容する工程と、
前記電池パックを前記内部空間に収容する工程と、を有する電子機器の製造方法。
【発明の詳細な説明】
【技術分野】
【０００１】
本発明は、複数の固定部材を有するロック構造、電子機器、および該電子機器の製造方法に関する。
【背景技術】
【０００２】
近年、電池パックを備えたポータブルな電子機器が数多く開発され、市場に投入されている。電池パックは、一般的に、ケースに収容され、カバーで覆われている。このような電子機器が地面に落下すると、衝撃によってカバーまたは電池パックがケースから脱落するおそれがある。そのため、電池パックを備えた電子機器には、一般的に、カバーまたは電池パックのケースからの脱落を防ぐためのロック機能が備えられている。ロック機能を備えた電子機器には、電池パックまたはカバーをケースに強固に固定するために複数の固定部材を有する電子機器が提案されている（特許文献１参照）。
【先行技術文献】
【特許文献】
【０００３】
【特許文献１】特開２００７−２９９５５２号公報
【発明の概要】
【発明が解決しようとする課題】
【０００４】
数多くの固定部材を有する電子機器では、各固定部材の動作が独立しているとユーザーが電池パックまたはカバーをケースに着脱するときにユーザーは各固定部材を一つずつ操作しなければならない。そのため、操作の手間がかかる。
【０００５】
そこで、本発明は、操作性に優れたロック構造、電子機器、および該電子機器の製造方法を提供することを目的とする。
【課題を解決するための手段】
【０００６】
上記目的を達成するため、本発明のロック構造は、上面開口と、内部空間とを備え、前記内部空間を囲む内側面に外側に凹んだ複数の凹部が形成され、前記複数の凹部に連通し、前記内側面に沿って屈曲した溝部が形成されたケースと、前記上面開口を塞いで前記内部空間を密閉可能なカバーであって、前記複数の凹部に個別に入り込んだ複数の突起が前記ケースに対向する面に形成されたカバーと、前記カバーを前記ケースに固定させる固定位置と、前記カバーの前記ケースへの固定を解除する解除位置との間を前記溝部に沿って移動可能な複数の固定部材であって、前記複数の固定部材の各々に、前記固定位置で前記ケースの前記凹部に露出して前記カバーの前記突起と重なり合い、前記解除位置で前記カバーの前記突起から離れる突起が形成されている複数の固定部材と、前記溝部に設けられ、前記溝部の形状に合わせて変形しながら前記溝部に沿って移動可能な棒状の伝動部材であって、前記各固定部材が同時にそれぞれの前記固定位置に配置され、同時にそれぞれの前記解除位置に配置される位置で前記各固定部材を保持している伝動部材と、を有する。
【０００７】
上記目的を達成するため、本発明の電子機器は、上記ロック構造と、上記ロック構造の内部空間に収容された電池パックと、を有する。
【０００８】
上記目的を達成するため、本発明の他の電子機器は、上面開口と、内部空間とを備え、前記内部空間を囲む内側面に外側に凹んだ複数の凹部が形成され、前記複数の凹部に連通し、前記内側面に沿って屈曲した溝部が形成されたケースと、前記内部空間に収容され、前記複数の凹部に個別に入り込んだ複数の突起が外周部に形成された電池パックと、前記電池パックを前記ケースに固定させる固定位置と、前記電池パックの前記ケースへの固定を解除する解除位置との間を前記溝部内で移動可能な複数の固定部材であって、前記複数の固定部材の各々に、前記固定位置で前記ケースの前記凹部に露出して前記電池パックの前記突起と重なり合い、前記解除位置で前記電池パックの前記突起から離れる突起が形成されている複数の固定部材と、前記溝部に設けられ、前記溝部の形状に合わせて変形しながら前記溝部に沿って移動可能な棒状の伝動部材であって、前記各固定部材が同時にそれぞれの前記固定位置に配置され、同時にそれぞれの前記解除位置に配置される位置で前記各固定部材を保持している伝動部材と、を有する。
【０００９】
上記目的を達成するため、本発明の電子機器の製造方法は、上面開口と、内部空間とを備えたケースの、前記内部空間を囲む内側面に外側に凹んだ複数の凹部を形成し、前記複数の凹部に連通し、前記内側面に沿って屈曲した溝部を形成する工程と、複数の固定部材と、前記溝部の形状に合わせて変形しながら前記溝部に沿って移動可能な棒状の伝動部材とを前記溝部内に収容する工程であって、前記複数の凹部でカバーを前記ケースに固定させる固定位置と、前記カバーの前記ケースへの固定を解除する解除位置との間を前記溝部に沿って移動可能に前記複数の固定部材を収容し、前記各固定部材が同時にそれぞれの前記固定位置に配置され、同時にそれぞれの前記解除位置に配置される位置で前記各固定部材を保持するように前記伝動部材を前記溝部内に収容する工程と、前記内部空間に電池パックを収容する工程と、前記カバーで前記上面開口を塞ぐことによって、前記電池パックを収容した前記内部空間を密閉する工程と、を有する。
【００１０】
上記目的を達成するため、本発明の他の電子機器の製造方法は、上面開口と、内部空間とを備えたケースの、前記内部空間を囲む内側面に外側に凹んだ複数の凹部を形成し、前記複数の凹部に連通し、前記内側面に沿って屈曲した溝部を形成する工程と、複数の固定部材と、前記溝部の形状に合わせて変形しながら前記溝部に沿って移動可能な棒状の伝動部材とを前記溝部内に収容する工程であって、前記複数の凹部で電池パックを前記ケースに固定させる固定位置と、前記電池パックの前記ケースへの固定を解除する解除位置との間を前記溝部に沿って移動可能に前記複数の固定部材を収容し、前記各固定部材が同時にそれぞれの前記固定位置に配置され、同時にそれぞれの前記解除位置に配置される位置で前記各固定部材を保持するように前記伝動部材を前記溝部内に収容する工程と、前記電池パックを前記内部空間に収容する工程と、を有する。
【発明の効果】
【００１１】
本発明によれば、操作性に優れたロック構造、電子機器、および該電子機器の製造方法を提供することが可能となる。
【図面の簡単な説明】
【００１２】
【図１】本発明の実施形態１に係る電子機器の要部構成を示す分解斜視図である。
【図２】図１に示す電子機器に設けられたケースの上面図である。
【図３】図１に示す電子機器に設けられたケースの底面図である。
【図４】図１に示す電子機器において、カバーがケースの上面開口を塞いだ状態を示す平面図である。
【図５】図４に示す切断線Ａ−Ａに沿った断面図である。
【図６】図４に示す切断線Ａ−Ａに沿った断面図である。
【図７】図１に示す電子機器をケースの底面側から見た平面図である。
【図８】図１に示す電子機器をケースの底面側から見た平面図である。
【図９】本発明の実施形態２に係る電子機器の要部構成を示す斜視図である。
【図１０】図９に示す切断線Ｂ−Ｂに沿った断面図である。
【図１１】図９に示す電子機器をカバーの底面側から見た平面図である。
【発明を実施するための形態】
【００１３】
（実施形態１）
図１は、本実施形態の電子機器の要部構成を示す分解斜視図である。図１に示す電子機器１００では、平板状のカバー２が枠状のケース１に着脱可能に固定される。以下、カバー２をケース１に着脱可能に固定するロック構造について説明する。
【００１４】
図２は、ケース１の上面図である。図３は、ケース１の底面図である。図１に示すように、ケース１は、上面開口１１と、内部空間１２とを備えている。内部空間１２を囲む内側面１３には、外側に凹んだ３つの凹部１４が形成されている（図２参照）。内側面１３は、内部空間１２を挟んで互いに対向する一対の矩形面と、その一対の矩形面と隣接し、内部空間１２を挟んで互いに対向する他の一対の矩形面とで構成されている。一対の矩形面の各々に、３つの凹部１４のうちの２つが形成されている（図１および図２参照）。残りの凹部１４は、他の一対の矩形面のいずれか一方に形成されている（図１および図２参照）。凹部１４の数は、複数であれば特に制限されない。ケース１の上面の、上述した残りの凹部１４に隣接する位置には、図２に示すように開口部１５が形成されている。ケース１の底面には、図３に示すように溝部１６が形成されている。溝部１６は、各凹部１４に連通し、内側面１３に沿って屈曲している。
【００１５】
ケース１の内部空間１２には、直方体の電池パック３が収容されている。電池パック３は、電子機器１００の電源として機能する。ケース１の上面開口１１は、カバー２によって塞がれている。これにより、電池パック３を収容した内部空間１２が密閉される。カバー２のケース１に対向する面には、各凹部１４に個別に入り込む３つの突起２１が形成されている。各突起２１の先端部は屈曲している。
【００１６】
図４は、カバー２がケース１の上面開口１１を塞いだ状態を示す平面図である。図５および図６は、図４に示す切断線Ａ−Ａに沿った断面図である。図７および図８は、図１に示す電子機器１００をケース１の底面側から見た平面図である。
【００１７】
図７および図８に示すように、ケース１の溝部１６には可動部材４が収容されている。可動部材４は、３つの固定部材４１と、溝部１６の形状に合わせて溝部１６に沿って移動可能な棒状の伝動部材４２とで構成されている。３つの固定部材４１の一つには、ケース１の開口部１５から突出するつまみ４３が取り付けられている。
【００１８】
各固定部材４１は、樹脂または金属で構成されている。固定部材４１に適用可能な樹脂としては、ＡＢＳ（Acrylonitrile butadiene styrene）樹脂、ＰＣ（Polycarbonate）樹脂が挙げられる。伝動部材４２に適用可能な材料としては、シリコンゴムに代表されるエラストマーが挙げられる。各固定部材４１と、伝動部材４２とは、２色成形またはインサート成形により一体に成形されている。
【００１９】
各固定部材４１は、カバー２をケース１に固定させる固定位置と、カバー２のケース１への固定を解除する解除位置との間を溝部１６に沿って移動可能である。固定部材４１が固定位置に位置しているとき、固定部材４１の突起４４がケース１の凹部１４に露出してカバー２の突起２１に重なり合う（図６参照）。一方、固定部材４１が解除位置に位置しているとき、固定部材４１の突起４４はカバー２の突起２１から離れている（図５参照）。突起２１と突起４４の係合をスムーズにするため、突起４４の先端部に、固定部材４１の移動方向（溝部１６の長さ方向）に対して傾斜した斜面（いわゆるＣ面）が形成されていてもよい。
【００２０】
伝動部材４２は、各固定部材４１が同時にそれぞれの固定位置に配置される位置と、各固定部材４１が同時にそれぞれの解除位置に配置される位置とで、各固定部材４１を保持している。そのため、固定部材４１の一つを上述した固定位置または解除位置に移動させる力が伝動部材４２に加えられると、伝動部材４２は、溝部１６の屈曲箇所１７（図７および図８参照）で変形しながら残りの固定部材４１を固定位置または解除位置に同時に移動させる。
【００２１】
上記のように構成された電子機器１００において、ユーザーがつまみ４１を掴んで固定部材４１の一つを解除位置から固定位置に移動させたとき、伝動部材４２の変形に連動して残りの固定部材４１が解除位置から固定位置に同時に移動する。これにより、一度の操作でカバー２をケース１に固定させることが可能となる。反対に、ユーザーがつまみ４１を掴んで固定部材４１の一つを固定位置から解除位置に移動させたとき、伝動部材４２の変形に連動して残りの固定部材４１が固定位置から解除位置に同時に移動する。これにより、一度の操作でカバー２をケース１から取り外し可能な状態にすることが可能となる。
【００２２】
上記の通り、本実施形態のロック構造では、全ての固定部材４１が、一度の操作で同時に固定位置に移動し、かつ同時に解除位置に移動する。これにより、各固定部材４１を一つずつ操作する手間を省けるので、操作性が向上する。また、本実施形態のロック構造では、組立および分解が容易になるので環境に優しい。
【００２３】
本実施形態では、内側面１３を構成する４つの矩形面のうちの３面に凹部１４を形成する構造であるが、２面であってもよい。カバー２をケース１により強固に固定するため（固定箇所を増やすため）に４つの矩形面全てに凹部１４を形成していてもよい。
【００２４】
なお、上述したロック構造は、携帯電話機、ノート型パーソナルコンピュータ等の電子機器だけでなく、湯沸しポットのふたや食器洗い機のふたを固定する防水分野に応用してもよい。
【００２５】
（実施形態２）
本実施形態の電子機器について説明する。
【００２６】
図９は、本実施形態の電子機器の要部構成を示す斜視図である。図９に示す電子機器１０１では、電池パック３０がケース１に固定される。以下、電池パック３０をケース１に固定するロック構造について説明する。上述した実施形態１の電子機器１００と同様の構成要素については、同じ符号を付して詳細な説明を省略する。
【００２７】
図１０は、図９に示す切断線Ｂ−Ｂに沿った断面図である。図１１は、図９に示す電子機器１０１をケース１の底面側から見た平面図である。本実施形態では、図１０および図１１に示すように、電池パック３０の外周部に３つの突起３１が形成されている。各突起３１は、ケース１の凹部１４に入り込んでいる。
【００２８】
ケース１の溝部１６には、実施形態１と同様に、３つの固定部材４１と伝動部材４２とで構成された可動部材４が収容されている。各固定部材４１は、電池パック３０をケース１に固定させる固定位置と、電池パック３０のケース１への固定を解除する解除位置との間を溝部１６内で移動可能である。固定部材４１が全て固定位置に位置しているとき、図１０に示すように、固定部材４１の突起４４がケース１の凹部１４に露出して電池パック３０の突起３１に重なり合う。一方、固定部材４１が全て解除位置に位置しているとき、固定部材４１の突起４４は、電池パック３０の突起３１から離れている。
【００２９】
本実施形態の電子機器１０１では、電池パック３０は、図１に示すように突起２１によってケース１に着脱可能に固定されるカバー２、あるいは他の手段によりケース１に着脱可能に固定されるカバーによって覆われていてもよい。カバー２で電池パック３０を覆う構造の場合、固定部材４１の突起４４と電池パック３０の突起３１との間にカバー２の突起２１が挟まれる。
【００３０】
上記のように構成された電子機器１０１において、ユーザーがつまみ４１を掴んで固定部材４１の一つを解除位置から固定位置に移動させたとき、伝動部材４２の変形に連動して残りの固定部材４１が解除位置から固定位置に同時に移動する。これにより、一度の操作で電池パック３０をケース１に固定させることが可能となる。反対に、ユーザーがつまみ４１を掴んで固定部材４１の一つを固定位置から解除位置に移動させたとき、伝動部材４２の変形に連動して残りの固定部材４１が固定位置から解除位置に同時に移動する。これにより、一度の操作で電池パック３０をケース１から取り外し可能な状態にすることが可能となる。
【００３１】
上記の通り、本実施形態のロック構造では、全ての固定部材４１が、一度の操作で固定位置に同時に移動し、かつ解除位置に同時に移動する。これにより、全ての固定部材４１を一つずつ操作する手間を省けるので、操作性が向上する。特に本実施形態では、電池パックがケース１に一体化するのでケース１の剛性が高くなる。
【符号の説明】
【００３２】
１  ケース
２  カバー
３  電池パック
４  固定部材
１１  上面開口
１２  内部空間
１３  内側面
１４  凹部
１５  開口部
１６  溝部
１７  屈曲箇所
２１  突起
３０  電池パック
３１  突起
４１  可動部材
４２  伝動部材
４３  つまみ
４４  突起
１００、１０１  電子機器
【図１】
2013065407.tif 000003
【図２】
2013065407.tif 000004
【図３】
2013065407.tif 000005
【図４】
2013065407.tif 000006
【図５】
2013065407.tif 000007
【図６】
2013065407.tif 000008
【図７】
2013065407.tif 000009
【図８】
2013065407.tif 000010
【図９】
2013065407.tif 000011
【図１０】
2013065407.tif 000012
【図１１】
2013065407.tif 000013